【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
入力画像データから局所的な階調の変化を示す局所変化データを分離する分離手段と、
画像出力装置における画像の変換特性を表す変換情報に基づき、色度に応じた補正係数を取得する取得手段と、
前記補正係数を用いて前記局所変化データに補正処理を施す第１補正手段と、
前記補正された局所変化データを用いて、前記入力画像データを補正する第２補正手段とを有する色処理装置。
【請求項２】
前記分離手段は、前記入力画像データを画像の大域的な階調と色度の変化を示す大域変化データと、局所的な階調と色度の変化を示す前記局所変化データとを分離することを特徴とする請求項１に記載の色処理装置。
【請求項３】
前記第１補正手段で補正された局所変化データと前記大域変化データを合成する合成手段を更に有し、
前記第２補正手段は、前記合成手段による合成後の画像データに前記変換情報を用いる色処理を施すことを特徴とする請求項２に記載の色処理装置。
【請求項４】
前記分離手段は、前記入力画像データを明度信号と彩度信号に変換し、前記明度信号と前記彩度信号をフィルタ処理した結果を前記大域変化データとして分離する請求項３に記載された色処理装置。
【請求項５】
前記分離手段は、前記明度信号を前記フィルタ処理後の明度信号で除算し、前記彩度信号を前記フィルタ処理後の彩度信号で除算した結果を前記局所変化データとして分離する請求項４に記載された色処理装置。
【請求項６】
前記フィルタ処理のカーネルサイズは、前記入力画像データの画像サイズに基づき決定される請求項４または請求項５に記載された色処理装置。
【請求項７】
前記フィルタ処理のカーネルサイズは、前記入力画像データが表す画像を印刷した印刷物の観察距離に基づき決定される請求項４または請求項５に記載された色処理装置。
【請求項８】
前記取得手段は、前記変換情報の格子点の入力値を変換した明度値および/または彩度値、および、当該格子点の出力値を変換した明度値および/または彩度値に基づき、各格子点の明度圧縮率と彩度圧縮率を算出し、
前記明度圧縮率の逆数を前記明度信号の補正係数として取得し、前記彩度圧縮率の逆数を前記彩度信号の補正係数として取得する請求項５に記載された色処理装置。
【請求項９】
前記取得手段は、前記補正係数として、前記変換情報から前記明度信号の補正係数および/または前記彩度信号の補正係数を取得する請求項５に記載された色処理装置。
【請求項１０】
前記取得手段は、前記変換情報の各格子点における明度圧縮率および/または彩度圧縮率を前記変換情報から取得し、
前記明度圧縮率の逆数を前記明度信号の補正係数として取得し、および/または前記彩度圧縮率の逆数を前記彩度信号の補正係数として取得する請求項５に記載された色処理装置。
【請求項１１】
前記変換情報は、前記変換情報の色再現特性の種類に応じて、前記明度圧縮率および/または前記彩度圧縮率を格納する請求項１０に記載された色処理装置。
【請求項１２】
さらに、前記変換情報が前記明度圧縮率および/または前記彩度圧縮率を格納する否かを判定する手段と、
前記変換情報が前記明度圧縮率および/または前記彩度圧縮率を格納しない場合、前記変換情報の格子点の入力値を変換した明度値と彩度値、および、当該格子点の出力値を変換した明度値と彩度値に基づき、各格子点の明度圧縮率および/または彩度圧縮率を算出して、前記算出した明度圧縮率および/または前記彩度圧縮率を前記変換情報に格納する手段とを有する請求項１０または請求項１１に記載された色処理装置。
【請求項１３】
前記第１補正手段は、前記局所変化データの明度信号に前記明度信号の補正係数を乗算し、および/または前記局所変化データの彩度信号に前記彩度信号の補正係数を乗算する請求項８から請求項１２の何れか一項に記載された色処理装置。
【請求項１４】
前記合成手段は、前記合成処理として、前記補正された局所変化データの明度信号と前記大域変化データの明度信号の乗算、および/または、前記補正された局所変化データの彩度信号と前記大域変化データの彩度信号の乗算を行う請求項５から請求項１３の何れか一項に記載された色処理装置。
【請求項１５】
前記合成手段は、前記合成処理後の画像データを前記入力画像データと同じ形式の画像データに変換する請求項１４に記載された色処理装置。
【請求項１６】
前記第２補正手段は、前記色処理として、前記合成処理後の画像データに色域マッピングを施す請求項３から請求項１５の何れか一項に記載された色処理装置。
【請求項１７】
入力画像データから複数の上位ビットで構成される上位ビット画像データを分離する分離手段と、
前記入力画像データが表す色と前記上位ビット画像データが表す色の差分を差分画像データとして算出する算出手段と、
画像形成条件に対応する変換情報に基づき、前記上位ビット画像データに色処理を施し、前記色処理後の上位ビット画像データと前記差分画像データを合成処理する色処理手段を有する色処理装置。
【請求項１８】
前記色処理手段は、前記色処理として、前記上位ビット画像データに色域マッピングを施す請求項１７に記載された色処理装置。
【請求項１９】
前記色処理手段は、前記合成処理後の画像データをデバイス色信号に変換する請求項１７または請求項１８に記載された色処理装置。
【請求項２０】
前記色処理手段は、前記デバイス色信号に平滑化処理を施す請求項１９に記載された色処理装置。
【請求項２１】
前記色処理手段は、前記合成処理として、前記色処理後の上位ビット画像データと前記差分画像データを加算処理する請求項１７から請求項２０の何れか一項に記載された色処理装置。
【請求項２２】
前記算出手段は、前記入力画像データと前記上位ビット画像データをデバイス非依存色空間の画像データに変換し、それら画像データの差分を前記差分画像データとして算出する請求項１７から請求項１９の何れか一項に記載された色処理装置。
【請求項２３】
さらに、前記複数の上位ビットのビット数を示すユーザ指示を入力する手段を有する請求項１７から請求項２２の何れか一項に記載された色処理装置。
【請求項２４】
さらに、前記画像形成条件を示すユーザ指示を入力する手段を有する請求項１７から請求項２３の何れか一項に記載された色処理装置。
【請求項２５】
さらに、前記色処理手段が出力する画像データを前記画像形成条件が示す画像出力装置に出力する手段を有する請求項２４に記載された色処理装置。
【請求項２６】
入力画像データから局所的な階調の変化を示す局所変化データを分離し、
画像出力装置における画像の変換特性を表す変換情報に基づき、色度に応じた補正係数を取得し、
前記補正係数を用いて前記局所変化データに補正処理を施し、
前記補正された局所変化データを用いて、前記入力画像データを補正する
ことを特徴とする色処理方法。
【請求項２７】
入力画像データから複数の上位ビットで構成される上位ビット画像データを分離し、
前記入力画像データが表す色と前記上位ビット画像データが表す色の差分を差分画像データとして算出し、
画像形成条件に対応する変換情報に基づき、前記上位ビット画像データに色処理を施し、
前記色処理後の上位ビット画像データと前記差分画像データを合成処理する色処理方法。
【請求項２８】
コンピュータを請求項１から請求項２５の何れか一項に記載された色処理装置の各手段として機能させるためのプログラム。
【手続補正２】
【補正対象書類名】明細書
【補正対象項目名】００１０
【補正方法】変更
【補正の内容】
【００１０】
本発明の色処理装置は、入力画像データから局所的な階調の変化を示す局所変化データを分離する分離手段と、画像出力装置における画像の変換特性を表す変換情報に基づき、色度に応じた補正係数を取得する取得手段と、前記補正係数を用いて前記局所変化データに補正処理を施す第１補正手段と、前記補正された局所変化データを用いて、前記入力画像データを補正する第２補正手段とを有する。